(57)【要約】【課題】圃場に敷設してあるマルチシートを効率よく回収できるようにする。【解決手段】圃場Ｇに作付けられた根菜類ａを収穫自在で、走行機体の前端部の左右一方側に配置してある収穫部１０と、圃場Ｇの表面を被覆する状態に敷設してあるマルチシートＭｓの縁部を、走行機体の走行に伴って捲り上げ自在で、収穫部１０より走行機体の左右中央側に配置してあるシート捲り部１６と、シート捲り部１６で圃場Ｇから捲り挙げられたマルチシートＭｓを、走行機体の進行方向に対する左右中央側から収穫部１０が配置されている左右一方側へ向けて誘導する誘導部１７とを設けてある。【選択図】図８
2015173613.tif 000002
【特許請求の範囲】
【請求項１】
圃場に作付けられた根菜類を収穫自在で、走行機体の前端部の左右一方側に配置してある収穫部と、
前記圃場の表面を被覆する状態に敷設してあるマルチシートの縁部を、前記走行機体の走行に伴って捲り上げ自在で、前記収穫部より前記走行機体の左右中央側に配置してあるシート捲り部と、
前記シート捲り部で前記圃場から捲り挙げられた前記マルチシートを、前記走行機体の進行方向に対する左右中央側から前記収穫部が配置されている左右一方側へ向けて誘導する誘導部とを設けてある根菜類収穫機。
【請求項２】
前記誘導部は、前記シート捲り部の前記進行方向に対する後方側に設けてある請求項１に記載の根菜類収穫機。
【請求項３】
前記誘導部は、前記進行方向での前後の複数箇所に設けてある請求項１又は２に記載の根菜類収穫機。
【請求項４】
前記シート捲り部と前記誘導部とは、昇降自在な前記収穫部と一体的に設けてある請求項１〜３の何れか一項に記載の根菜類収穫機。
【請求項５】
前記シート捲り部と前記誘導部とは、前記収穫部に対する相対的な高さ位置を変更自在な高さ変更機構を備えている請求項１〜４の何れか一項に記載の根菜類収穫機。
【発明の詳細な説明】
【技術分野】
【０００１】
本発明は、圃場に作付けられた根菜類を収穫自在な根菜類収穫機に関し、更に詳しくは、走行機体の前端部の左右一方側に収穫部を備えた根菜類収穫機に関する。
【背景技術】
【０００２】
根菜類の栽培にあっては、例えば、雑草の抑制や、土の保湿や、肥料の流亡抑制や、土が硬くなるのを防止する等の作用を期待して、マルチシートを、圃場（例えば、畝）を覆う状態に敷設することがある。
根菜類は、マルチシートで覆われた圃場で生育し、マルチシートに形成された穴部分から地表面上にも伸び、収穫時期になると根菜類収穫機によって収穫される。
収穫後の圃場の表面には、穴の開いたマルチシートが残されることになるが、これは、人力で回収されることになる。
【０００３】
従来、この種の根菜類収穫機としては、収穫部としては、畝に作付けられた根菜類の茎葉を引き起こしながら引き抜き、分草処理するように構成されたものがあり、分草によって葉茎が切り離された根菜本体を、コンテナ等の容器にまとめて回収するように形成してあった。
また、収穫部には、畝から根菜類を引き抜く前に、その周囲の土を切り崩すことで収穫しやすくする水平翼状の土切り崩し体を備えたものがあった（例えば、特許文献１参照）。
【０００４】
この土切り崩し体は、畝の側方から根菜類の下方地盤に達する水平翼として構成してあり、この水平翼は、前方側に若干の傾斜を持たせて設置されている。従って、走行機体と共に土切り崩し体が前方に移動すると、土を持ち上げながら切り崩すことが可能となり、その結果、その上部に埋まっている根菜類の周囲の土が緩み、根菜類の引き抜きが容易なものとなる。
また、このような土の緩め作用と共に、畝の上を覆っているマルチシートの側縁部を捲り上げ、収穫後に捲りやすくする作用もある。
【先行技術文献】
【特許文献】
【０００５】
【特許文献１】特開２００３−２０４７１１号公報（段落番号〔００６８〕、図５、図６、図１３）
【発明の概要】
【発明が解決しようとする課題】
【０００６】
上述した従来の根菜類収穫機によれば、畝の上に残されたマルチシートは、裏面側は畝の土と付着している可能性がある。従って、土切り崩し体で捲り上げられたマルチシートの側縁部を手で掴んで、引き上げながら回収するにしても、付着抵抗が大きく作用する虞があり、相当な力が必要で、繁雑な作業となる。
【０００７】
更には、マルチシートは、元々薄く強度が低い上、経年劣化や、走行機体の走行によって性能が更に劣化している可能性があるから、手で掴んで剥がす際に、大きな力を作用させると、掴んだ部分のみが引きちぎれ易く、回収作業が捗らない虞もある。
【０００８】
従って、本発明の目的は、上記問題点を解消し、圃場に敷設してあるマルチシートを、効率よく回収できるようにする根菜類収穫機を提供するところにある。
【課題を解決するための手段】
【０００９】
本発明の特徴は、圃場に作付けられた根菜類を収穫自在で、走行機体の前端部の左右一方側に配置してある収穫部と、前記圃場の表面を被覆する状態に敷設してあるマルチシートの縁部を、前記走行機体の走行に伴って捲り上げ自在で、前記収穫部より前記走行機体の左右中央側に配置してあるシート捲り部と、前記シート捲り部で前記圃場から捲り挙げられた前記マルチシートを、前記走行機体の進行方向に対する左右中央側から前記収穫部が配置されている左右一方側へ向けて誘導する誘導部とを設けてあるところにある。
【００１０】
本発明によれば、走行機体の走行に伴い、シート捲り部によってマルチシートの縁部を捲り上げることができる。また、捲り上げたマルチシートは、誘導部によって走行機体の進行方向に対する左右中央側から収穫部が配置されている左右一方側へ誘導される。
従って、シート捲り部で圃場から縁部を捲り上げたマルチシートは、そのまま放置されるのではなく、誘導部によって横方向へ誘導されることで元々位置しているマルチシート部分に誘導によって移動されたマルチシート部分が重なって束を形成することができる。
【００１１】
その結果、圃場に対するマルチシートの接触面積が減少し、両者の付着力も減少することから、少ない力で剥がして回収することが可能となる。
更には、マルチシートが束状になっていることから、剥がし力を束の全体で受けることができ、従来のように、薄いシートの縁部にのみ剥がし力が集中することで引きちぎられる問題を解消できる。従って、マルチシートのちぎれを心配することなく、大きな力をマルチシートの束に作用させて、効率よく回収作業を進めることができる。
【００１２】
以上の結果から、小さい力で、且つ、素材のちぎれを心配せずに力を作用させることが可能となり、マルチシートの回収作業全般を効率的に実施できるようになる。
【００１３】
本発明においては、前記誘導部は、前記シート捲り部の前記進行方向に対する後方側に設けてあると好適である。
【００１４】
本構成によれば、走行機体の走行に伴って、マルチシートを、シート捲り部で捲り上げた状態で、その後方側の誘導部によって所定方向（走行機体の進行方向に対する左右中央側から収穫部が配置されている左右一方側）に向けて誘導するから、土との交わりの少ない状態でスムーズに誘導することができる。
従って、マルチシートの破断等が生じ難い状態で前記所定方向側に寄せることができる。
【００１５】
本発明においては、前記誘導部は、前記進行方向での前後の複数箇所に設けてあると好適である。
【００１６】
本構成によれば、複数箇所の誘導部によって、マルチシートを徐々に前記所定方向側へ誘導することができる。
従って、マルチシートに対して急激な誘導力が作用することを緩和でき、マルチシートの破断等が、より生じ難い状態で前記所定方向側への誘導が可能となる。
【００１７】
本発明においては、前記シート捲り部と前記誘導部とは、昇降自在な前記収穫部と一体的に設けてあると好適である。
【００１８】
本構成によれば、収穫部の昇降操作に伴って、シート捲り部と誘導部とのセッティングも合わせて可能となるから、効率的に根菜類の回収作業を進めることができる。
即ち、収穫部を作用状態に昇降操作することで、シート捲り部と誘導部とを追従させて作用状態にでき、また、収穫部を非作用状態に昇降操作することで、シート捲り部と誘導部とを追従させて非作用状態にできる。
【００１９】
本発明においては、前記シート捲り部と前記誘導部とは、前記収穫部に対する相対的な高さ位置を変更自在な高さ変更機構を備えていると好適である。
【００２０】
本構成によれば、高さ変更機構を使用して、シート捲り部と誘導部とを、収穫部に対する高さ位置を変更することができる。
従って、圃場の起伏の状態に合わせて、シート捲り部と誘導部とを高さ変更することができる。一例としては、畝のように、走行位置によって高低差がある圃場を対象とする場合に、特に好適である。
【図面の簡単な説明】
【００２１】
【図１】人参収穫機全体の左側面図
【図２】人参収穫機全体の平面図
【図３】人参収穫機全体の右側面図
【図４】マルチシート幅寄せ機構を示す人参収穫機要部の右側面図
【図５】マルチシート幅寄せ機構を示す人参収穫機要部の平面図
【図６】マルチシート幅寄せ機構を示す人参収穫機要部の正面図
【図７】作付け列の収穫順序を示す平面図
【図８】マルチシート幅寄せ機構の作用を示す人参収穫機要部の平面図
【発明を実施するための形態】
【００２２】
以下に、本発明の実施の形態の一例を図面に基づいて説明する。
〔作物収穫機の全体構成〕
図１〜３は、根菜類収穫機の一例として人参収穫機Ｎを例示したものである。
この人参収穫機Ｎは、機体フレーム３の下方に左右一対のクローラ式の走行装置１を備えて走行機体を構成し、この走行機体の左側の前部に収穫部１０を備え、右側に搭乗型運転部２を備えるとともに、収穫部１０の後部から搭乗型運転部２が配設された機体右側後部に向けて、収穫部１０で収穫された作物を回収するための作物回収部Ａを設けて構成されている。
この人参収穫機Ｎは、機体走行に伴い、収穫部１０によって人参（根菜類の一例）ａを圃場Ｇから抜き上げ、ひげ根と葉を取り除いた状態にして収穫するものである。
【００２３】
圃場Ｇにおける人参ａの作付け状況と、収穫時の人参収穫機Ｎの走行経路について、その一例を説明する。
【００２４】
圃場Ｇに形成された畝Ｇａには、図６、図７に示すように、長手方向に延びる作付け列Ｔが、畝Ｇａの幅方向に間隔を明けて複数条設けられている。それぞれの作付け列Ｔには、多数の人参ａが畝Ｇａの長手方向に間隔を明けて作付けされている。
【００２５】
畝Ｇａの表面には、畝Ｇａを被覆する状態に合成樹脂製のマルチシートＭｓが敷設してある。
人参ａは、マルチシートＭｓに形成された穴を貫通する状態で作付けされている。
【００２６】
人参収穫機Ｎによる収穫作業の一例は、作付け列Ｔの一端部位置に収穫部１０の前端位置を合致させた状態に配置し、その初期状態から作付け列Ｔに沿って他端部位置まで走行装置１を走行させ、該当する作付け列の人参ａを収穫する。
その際、畝Ｇａにおける幅方向での一端側（当該実施形態では進行方向での右側）に位置する作付け列Ｔから開始し、その作付け列Ｔの収穫作業が終了すると、左隣の作付け列Ｔに移動して収穫作業を行う（図７参照）。
以下同様の収穫作業を繰り返し、最後に、畝Ｇａにおける幅方向での他端側（当該実施形態では進行方向での左側）に位置する作付け列Ｔの収穫を行う。
【００２７】
また、畝Ｇａの人参ａの収穫が終了すると、その跡に残されたマルチシートＭｓを人力で回収する。
以下に、人参収穫機Ｎの各部の説明を行う。
【００２８】
〔搭乗型運転部〕
搭乗型運転部２は、機体フレーム３に搭載したエンジンＥを備える原動部の上側を覆う状態に運転座席２ａを設置し、運転座席２ａの前方下方に搭乗ステップ２ｂを備え、さらに前方位置に操向操作用の操作具等を備えた操縦塔２ｃを設けている（図２参照）。
【００２９】
〔作物回収部〕
作物回収部Ａは、収穫部１０で収穫された人参本体ａ１を、向き変更してコンテナ移載装置に供給するための作物搬送装置４と、その作物搬送装置４からの人参本体ａ１をコンテナＣに回収して送り出すためのコンテナ移載装置５と、作物が充填されたコンテナＣを機体上に収容するためのコンテナ収容台６と、前記コンテナ移載装置５において空のコンテナＣを供給したり、作物で満杯になったコンテナＣを取り出すなどの所定の作業を行うための補助作業者が、座席に搭座した状態で作業を行うことができるように設けられた補助座席７とから構成されている（図２参照）。
【００３０】
〔収穫部〕
収穫部１０は、人参ａの茎葉を引き起こしながら分草する左右一対の分草装置１１と、引き起こされた人参ａの茎葉の付け根部を左右両側から把持して後方上方へ搬送する搬送装置１４と、土中に埋入して人参ａの周部の土を切り崩してほぐす土ほぐし刃１５と、搬送装置１４の始端側の下方に位置して作物のひげ根を切断する周知のひげ根切断装置（図示省略）と、搬送装置１４から受け渡された作物の茎葉を切断除去する葉部除去装置２０とを備えて構成され、これらが左右一対のメインフレーム１３によって支持されている（図１参照）。
【００３１】
そして、この収穫部１０は、前記左右一対のメインフレーム１３の基端部が、走行機体の機体フレーム３の後部に、機体横向きの軸芯Ｐまわりで回動自在に連結されているとともに、メインフレーム１３の基端側にピストンが連結しているリフトシリダ１３ａによって、メインフレーム１３を機体フレーム３に対して上下に揺動操作して、収穫部１０全体を昇降操作できるように構成してある。
尚、図中の符号１２は左右一対のメインフレーム１３の先端部に設けられた接地輪であり、分草装置１１及び搬送装置１４の対地姿勢を所定の対地高さに維持するために有効に作用する。
【００３２】
また、収穫部１０には、畝Ｇａの上に敷設されているマルチシートＭｓを、走行機体の走行に伴って縁部を捲り上げながら畝Ｇａの中央側に寄せて、回収作業の効率化を図れるようにするマルチシート幅寄せ機構Ｈ（後述）が、一体的に取り付けられている。
【００３３】
分草装置１１は、圃場Ｇに植生している人参ａの葉ａ２をすくいアーム１１ｃによってすくい上げ、このすくいアーム１１ｃからの葉ａ２を、分草ケース１１ａから前方に先端側が突出した状態でこの分草ケース１１ａの前面側を上昇移動する引起こし爪１１ｂによって梳き上げることにより、収穫対象の人参ａの葉ａ２を非収穫対象の人参ａの葉ａ２と分離させるとともに引起こし処理するものであり、メインフレーム１３の前端側に前端部を連結支持された搬送装置１４のフレームを介して連結されている（図１〜３参照）。
【００３４】
搬送装置１４は、搬送始端部が引起装置１１の後側近くに位置し、搬送終端側ほど機体後方側で高レベルに位置する後上り傾斜の姿勢の左右一対の無端搬送ベルト１４ａを駆動回動自在に備えており、この一対の無端搬送ベルト１４ａにより、分草装置１１からの収穫対象人参の葉ａ２を受け継いで挟持して機体後方向きで上向きに搬送していく。これにより、搬送装置１４は、一対の無端搬送ベルト１４ａにより、収穫対象の人参ａを圃場から抜き上げるとともに、そのまま引き続いて葉部を挟持して吊り下げ姿勢で持ち上げ搬送していく（図１、図２参照）。
【００３５】
土ほぐし刃１５は、収穫対象の人参の横側で土壌内を突き進み、搬送装置１４が人参本体ａ１を圃場から抜き上げる際に人参本体ａ１が土壌から抜け出やすいように土壌をほぐしていく。
【００３６】
土ほぐし刃１５は、図４、図５に示すように、メインフレーム１３の先端側から右前方に向けて延びた取付フレーム１３ｂに取り付けられており、縦長帯板形状の縦長部１５ａと、縦長部１５ａの下端部から板厚方向に沿って屈曲した刃本体部１５ｂとを設けて構成されている。縦長部１５ａの上端部が取付フレーム１３ｂに取り付けられており、その装着状態では、取付フレーム１３ｂから垂下した縦長部１５ａの下端部から、収穫部１０側に刃本体部１５ｂは屈曲し、人参本体ａ１が埋まっている下方地盤にまで達する姿勢となる。
刃本体部１５ｂは、平面視においては、縦長部１５ａから斜め左前方に延びており、前端縁部は、土に進入しやすいように、鋭利に仕上げてある。
【００３７】
また、取付フレーム１３ｂに対する縦長部１５ａの取り付けは、ボルト１５ｃを締結することで実施されており、縦長部１５ａの上端部には、ボルト挿通孔１５ｄを、上下に間隔を明けて複数設けてある。従って、ボルト１５ｃを装着するボルト挿通孔１５ｄを上下変更することで、取付フレーム１３ｂに対する土ほぐし刃１５の高さを変更調整することができる。
【００３８】
葉部除去装置２０は、図１に示すように、搬送装置１４の一対の無端搬送ベルト１４ａの搬送終端位置より搬送始端側に位置する部分の後側近くに始端部が位置する左右一対の位置決め無端チェーン２２、この位置決め無端チェーン２２の終端側の上方に搬送始端部が位置する左右一対の切断搬送無端ベルト２７、この左右一対の切断搬送無端ベルト２７の中間部の下方近くに位置する左右一対の回転刃２３、左右一対の切断搬送無端ベルト２７の上方に位置する葉部搬送無端チェーン２４のそれぞれを駆動回動自在に備えて構成してある。
【００３９】
そして、搬送装置１４がひげ根切断済みの人参を搬送していくに伴い、その人参本体の頭部近くが位置決め無端チェーン２２の下側に入り込み、この後も引き続き搬送装置１４の無端搬送ベルト１４ａの搬送終端側が人参を持ち上げ搬送することにより、人参本体は頭頂部が位置決め無端チェーン２２に当接した位置決め状態になる。この位置決め状態になった人参の葉部を切断搬送無端ベルト２７と葉部搬送無端チェーン２４とが搬送装置１４から受け継いで後方向きに挟持搬送していく。すると、その搬送人参の葉部における人参頭部の近くが回転刃２３に供給されて切断され、この切断位置で人参本体ａ１が落下して作物回収部Ａに供給される。
【００４０】
この切断後においても、切断搬送無端ベルト２７と葉部搬送無端チェーン２４とが葉部をさらに後方に搬送して放出シュート２５の上に落下させるように構成してある。切断された葉ａ２は、放出シュート２５によって案内されて機体後方で圃場に落下する。
【００４１】
〔マルチシート幅寄せ機構Ｈ〕
マルチシート幅寄せ機構Ｈは、図４〜６に示すように、畝Ｇａ上のマルチシートＭｓの縁部を、走行機体の走行に伴って捲り上げ自在なシート捲り部１６と、シート捲り部１６で畝Ｇａから捲り挙げられたマルチシートＭｓを、走行機体の進行方向に対する左右中央側から収穫部１０が配置されている左右一方側（本実施形態においては、左側）へ向けて誘導する誘導部１７とを設けて構成してある。
【００４２】
シート捲り部１６は、土ほぐし刃１５と同じ取付フレーム１３ｂに取り付けてあり、土ほぐし刃１５の前方側にボルト１６ｄで固定してある。
シート捲り部１６は、縦長帯板形状の縦長部１６ａと、縦長部１６ａの前方端縁部に沿って固着されたパイプ部１６ｂと、パイプ部１６ｂの下端部に固着された爪状部１６ｃとを備えて構成してある（図４参照）。
【００４３】
取付フレーム１３ｂへの取付姿勢は、前方側ほど下方に位置する傾斜姿勢としてある。  また、図８に示すように、爪状部１６ｃ、並びに、パイプ部１６ｂの下端部がマルチシートＭｓの縁部下方に位置するように設置しておくことで、走行機体を走行させるに伴って爪状部１６ｃとパイプ部１６ｂの下端部がマルチシートＭｓの下面側に潜り込む。走行を進めるに伴って、マルチシートＭｓは、パイプ部１６ｂの外周面に沿って傾斜に乗り上がり、その結果、畝Ｇａから捲り上げられる。
【００４４】
また、縦長部１６ａの上端部には、図４に示すように、ボルト１６ｄを装着自在なボルト挿通孔１６ｅが上下に間隔を明けて複数設けてある。従って、ボルト１６ｄを装着するボルト挿通孔１６ｅを上下変更することで、取付フレーム１３ｂに対するシート捲り部１６の高さを変更調整することができる。即ち、この高さ調整は、取付フレーム１３ｂが固定されているメインフレーム１３、及び、メインフレーム１３に固定されている収穫部１０に対する高さ調整にもなっている。複数のボルト挿通孔１６ｅによって高さ変更機構３０が構成されている。
【００４５】
誘導部１７は、本実施形態の人参収穫機Ｎにおいては、図４に示すように、走行機体の進行方向での前後二箇所に設けてある。何れの誘導部１７も、進行方向での後方側ほど左側に位置する傾斜姿勢に取り付けられた傾斜板１７ａ、１７ｂで構成してある。
前方側の傾斜板１７ａは、シート捲り部１６の縦長部１６ａにボルト１６ｄで取り付けてある。
後方側の傾斜板１７ｂは、土ほぐし刃１５の縦長部１５ａにボルト１５ｃで取り付けてある。
【００４６】
走行機体の進行方向に対する誘導部１７の傾斜角度は、前方側の傾斜板１７ａより後方側の傾斜板１７ｂの方が大きく設定してあり、シート捲り部１６のパイプ部１６ｂで捲り上げられたマルチシートＭｓの縁部を、まず前方側の傾斜板１７ａで少し左側に誘導した後、後方側の傾斜板１７ｂで、本格的に更に左側に誘導することで、マルチシートＭｓに急激な負担をかけずに幅寄せすることが可能となる。
【００４７】
また、誘導部１７が取り付けてある縦長部１６ａ、１５ａには、それぞれ上下に間隔を明けて複数のボルト挿通孔１６ｆ、１５ｅが設けてある。従って、ボルト１６ｄ、１５ｃを装着するボルト挿通孔１６ｆ、１５ｅを上下変更することで、縦長部１６ａ、１５ａに対する誘導部１７の高さを変更調整することができる。即ち、この高さ調整は、縦長部１６ａ、１５ａが固定されている取付フレーム１３ｂ、メインフレーム１３、及び、メインフレーム１３に固定されている収穫部１０に対する高さ調整にもなっている。複数のボルト挿通孔１６ｆ、１５ｅによっても高さ変更機構３０が構成されている。
【００４８】
本実施形態の人参収穫機Ｎによれば、図７（ａ）、図７（ｂ）に示すように、畝Ｇａの各作付け列Ｔの内、畝Ｇａの幅方向での右端列（一端側列）から左端列（他端側列）への順で収穫走行を実施するだけで、最終的には、図７（ｃ）に示すように、マルチシートＭｓを畝Ｇａの幅方向での左側（他端側）に束として幅寄せすることができ、最終的なマルチシートＭｓの回収を、効率的に実施することが可能となる。
【００４９】
〔別実施形態〕
以下に他の実施の形態を説明する。
【００５０】
〈１〉  根菜類収穫機Ｎは、先の実施形態で説明した人参収穫機に限るものではなく、例えば、人参に替えて、大根や玉ねぎや芋類等の根菜類を収穫するものであってもよい。
また、根菜類収穫機Ｎの各部の構成や配置等も、適宜、変更することが可能である。
【００５１】
〈２〉  走行機体における収穫部１０の左右位置は、先の実施形態で説明した左側に限るものではなく、例えば、右側や、左右の中間部に位置するものであってもよい。但し、その場合は、誘導部１７によるマルチシートＭｓの幅寄せ方向が、収穫部１０側に向かうように設定されると好適である。
【００５２】
〈３〉  誘導部１７は、先の実施形態で説明したように走行機体の進行方向での前後２箇所に設けるものに限るものではなく、例えば、３箇所以上の複数箇所や、一箇所のみに設けるものであってもよい。
【００５３】
〈４〉  シート捲り部１６と誘導部１７は、先の実施形態で説明したように収穫部１０と一体的に構成されたものに限るものではなく、例えば、走行機体に対して収穫部１０とは別々に昇降自在な状態に設けてあってもよい。
【産業上の利用可能性】
【００５４】
当該根菜類収穫機は、人参以外の根菜を収穫する根菜類収穫機にも利用することができる。
【符号の説明】
【００５５】
１０    収穫部
１６    シート捲り部
１７    誘導部
３０    高さ変更機構
ａ      人参（根菜類の一例）
Ｇ      圃場
Ｍｓ    マルチシート
【図１】
2015173613.tif 000003
【図２】
2015173613.tif 000004
【図３】
2015173613.tif 000005
【図４】
2015173613.tif 000006
【図５】
2015173613.tif 000007
【図６】
2015173613.tif 000008
【図７】
2015173613.tif 000009
【図８】
2015173613.tif 000010